(57)【特許請求の範囲】
【請求項１】
データを記憶する記憶手段（３）と、
データを表示する表示手段（４）と、
データを入力するための入力手段（５）と、
前記記憶手段（３）に記憶され、建築物の各階平面図を表すＣＡＤ図面データを含む図面ファイル（３２３）と、
前記記憶手段（３）に記憶され、前記各階平面図の所定の領域としての区画を分類するため区画分類コードと、当該区画分類コードの分類内容を保持する区画分類テーブル（３２２）と、
前記図面ファイル（３２３）の一部として前記ＣＡＤ図面データに付加して前記記憶手段（３）に記憶され、前記区画を図形によって表す区画図形オブジェクトと、
前記図面ファイル（３２３）の一部として、かつ、前記区画に対応する前記区画図形オブジェクトの属性情報として前記記憶手段に記憶され、前記区画が属する前記区画分類コードを含む区画情報と、
前記図面ファイル（３２３）の入力、修正および削除を行うとともに、各種データを前記表示手段に出力し表示するデータ管理手段（２）と、
前記記憶手段（３）に記憶されたデータベース（３２１）とを有し、
前記データ管理手段（２）は、前記区画図形オブジェクトの寸法に基づいて区画情報として各区画の面積を演算するものであり、
前記データ管理手段（２）は、前記図面ファイル（３２３）に含まれる前記区画図形オブジェクトの前記区画情報を前記データベース（３２１）に登録するものであるデータ管理装置。
【請求項２】
請求項１に記載したデータ管理装置であって、
前記区画分類テーブル（３２２）は、前記区画分類コードに対応する前記区画の表示色データを含み、
前記データ管理手段（２）は、前記区画図形オブジェクトをその属性情報である前記区画分類コードに対応する表示色により、前記ＣＡＤ図面データに重畳して前記表示手段（４）に表示することが可能なものであるデータ管理装置。
【請求項３】
請求項１，２のいずれか１項に記載したデータ管理装置であって、
前記データ管理手段（２）は、所望の範囲の前記区画分類に属する区画の面積の集計値を演算することが可能なものであるデータ管理装置。
【請求項４】
請求項１〜３のいずれか１項に記載したデータ管理装置であって、
前記データ管理手段（２）は、前記データベース（３２１）におけるデータ処理、または、前記データベース（３２１）と他のデータベースを組み合わせてのデータ処理の結果を表示することが可能なものであるデータ管理装置。
【請求項５】
請求項１〜４のいずれか１項に記載したデータ管理装置であって、
前記区画分類コードは、集計処理の種別を示す集計分類コードを含むものであるデータ管理装置。
【請求項６】
請求項１〜５のいずれか１項に記載したデータ管理装置であって、
前記区画分類コードは利用態様の種別を示す利用分類コードを含むものであり、前記利用分類コードは階層構造を成すように設定されているものであるデータ管理装置。
【請求項７】
請求項１〜６のいずれか１項に記載したデータ管理装置であって、
前記図面ファイル（３２３）の一部として前記記憶手段（３）に記憶され、前記区画に配置されている備品を図形によって表す備品図形オブジェクトを有するデータ管理装置。
【請求項８】
請求項７に記載したデータ管理装置であって、
前記データ管理手段（２）は、前記備品図形オブジェクトまたは前記区画図形オブジェクトの表示色を既定の表示色から変更して表示することが可能なものであるデータ管理装置。
【発明の詳細な説明】
【技術分野】
【０００１】
この発明は、建築物のＣＡＤ図面データを有効に利用して、建物の利用区画、設備、備品等の施設に関するデータを効率的に管理することのできるデータ管理装置に関する。
【背景技術】
【０００２】
従来、建物の設備、備品等の施設に関するデータ管理するためのデータベースシステムやデータ管理装置としては、文字データを主体とするデータベースシステムや、文字データの他に必要に応じて画像データも取り扱えるようにしたデータベースシステムがあった。例えば、下記の特許文献１に記載されたものが公知である。特許文献１には、図形データファイル、配置図面データファイル、配置物データファイル、属性データファイル等の複数のファイルによりデータベースを構成し、配置物の管理を行う配置物管理データベースシステムが記載されている。
【特許文献１】特許２９７２４７５号公報
【発明の開示】
【発明が解決しようとする課題】
【０００３】
従来のデータベースシステムやデータ管理装置は、管理対象物とその管理対象物を示す図形データの関係が必ずしも明瞭ではなく、管理対象物を示す図形データや属性データ等の入力作業や修正作業は熟練を要するものであった。しかも、これらの作業の際に入力ミスや修正ミスの生じる可能性があった。
【０００４】
また、建築物の設計に際しては、通常、建築物の図面データがＣＡＤ図面データとして作成されいるにもかかわらず、このＣＡＤ図面データは建築物内の設備、備品等の配置を表すための基礎データとしては有効に利用されておらず、新たにデータベースシステム用の画像データを作成し直すことが多かった。このため、最初にデータベースシステムを構築する際の作業量およびコストが大きくなってしまうという問題点があった。
【０００５】
さらに、このような従来のデータベースシステムでは、建物内部の各フロアや各区画を、利用部門や使用形態に応じた分類や集計・分析を効率的に行うことができなかった。また、建物内部の各フロアや各区画に関して、面積、売上、コスト等といった種々の観点から集計・分析を行うことも簡単にはできなかった。
【０００６】
そこで、本発明は、建築物のＣＡＤ図面データを利用して容易にデータベースシステムを構築することができ、また、建物内部の各フロアや各区画の種々の観点からの集計・分析を容易に行うことができるデータ管理装置を提供することを目的とする。
【課題を解決するための手段】
【０００７】
上記目的を達成するために、本発明のデータ管理装置は、データを記憶する記憶手段と、データを表示する表示手段と、データを入力するための入力手段と、前記記憶手段に記憶され、建築物の各階平面図を表すＣＡＤ図面データを含む図面ファイルと、前記記憶手段に記憶され、前記各階平面図の所定の領域としての区画を分類するため区画分類コードと、当該区画分類コードの分類内容を保持する区画分類テーブルと、前記図面ファイルの一部として前記ＣＡＤ図面データに付加して前記記憶手段に記憶され、前記区画を図形によって表す区画図形オブジェクトと、前記図面ファイルの一部として、かつ、前記区画に対応する前記区画図形オブジェクトの属性情報として前記記憶手段に記憶され、前記区画が属する前記区画分類コードを含む区画情報と、前記図面ファイルの入力、修正および削除を行うとともに、各種データを前記表示手段に出力し表示するデータ管理手段と、前記記憶手段に記憶されたデータベースとを有する。そして、前記データ管理手段は、前記区画図形オブジェクトの寸法に基づいて区画情報として各区画の面積を演算するものであり、さらに、前記データ管理手段は、前記図面ファイルに含まれる前記区画図形オブジェクトの前記区画情報を前記データベースに登録するものである。
【０００８】
また、上記のデータ管理装置において、前記区画分類テーブルは、前記区画分類コードに対応する前記区画の表示色データを含み、前記データ管理手段は、前記区画図形オブジェクトをその属性情報である前記区画分類コードに対応する表示色により、前記ＣＡＤ図面データに重畳して前記表示手段に表示することが可能なものであることが好ましい。
【００１１】
また、上記のデータ管理装置において、前記データ管理手段は、所望の範囲の前記区画分類に属する区画の面積の集計値を演算することが可能なものであることが好ましい。
【００１２】
また、上記のデータ管理装置において、前記データ管理手段は、前記データベースにおけるデータ処理、または、前記データベースと他のデータベースを組み合わせてのデータ処理の結果を表示することが可能なものであることが好ましい。
【００１３】
また、上記のデータ管理装置において、前記区画分類コードは、集計処理の種別を示す集計分類コードを含むものであることが好ましい。
【００１４】
また、上記のデータ管理装置において、前記区画分類コードは利用態様の種別を示す利用分類コードを含むものであり、前記利用分類コードは階層構造を成すように設定されているものであることが好ましい。
【００１５】
また、上記のデータ管理装置において、前記図面ファイルの一部として前記記憶手段に記憶され、前記区画に配置されている備品を図形によって表す備品図形オブジェクトを有することが好ましい。
【００１６】
また、上記のデータ管理装置において、前記データ管理手段は、前記備品図形オブジェクトまたは前記区画図形オブジェクトの表示色を既定の表示色から変更して表示することが可能なものであることが好ましい。
【発明の効果】
【００１７】
本発明は、以上のように構成されているので、以下のような効果を奏する。
【００１８】
建築物の各階平面図を表すＣＡＤ図面データを含む図面ファイルに、区画分類を属性情報として有する区画図形オブジェクトを配置しているので、区画に関するデータのデータベースへの登録を極めて容易に行うことができる。また、データの入力ミスや修正ミスが生じにくく、フロアごと利用部門ごと等の集計処理を行うことも容易となる。
【００１９】
各区画を区画分類に対応した表示色によって表示するようにしたので、各区画の所属や性質を表示画面上で瞬時に把握することができ、区画の種類を容易かつ確実に識別することができる。
【００２０】
各区画の面積は区画図形オブジェクトの寸法に基づいて演算するようにしたので、面積の値を正確にかつ自動的に求めることができる。
【００２１】
区画分類コードが集計処理の種別を示す集計分類コードを含むので、集計処理の結果を適切な集計レイアウトで作成することができる。
【００２２】
区画分類コードが利用態様の種別を示す利用分類コードを含み、その利用分類コードが階層構造を成すように設定されているので、区画分類の設定作業を容易かつ確実に行うことができる。
【００２３】
各区画に配置されている備品を図形によって表す備品図形オブジェクトを図面ファイルに配置しているので、備品に関するデータのデータベースへの登録を極めて容易に行うことができる。また、データの入力ミスや修正ミスが生じにくく、フロアごと利用部門ごと等の集計処理を行うことも容易となる。
【００２４】
備品図形オブジェクトまたは前記区画図形オブジェクトの表示色を既定の表示色から変更して表示することができるので、検索・抽出結果や集計結果等を誰にでも分かりやすく表示することができる。
【発明を実施するための最良の形態】
【００２５】
本発明の実施の形態について図面を参照して説明する。図１は、本発明のデータ管理装置１の全体構成を示す図である。データ管理手段２は、データ管理装置１の種々の処理を行う中心部であり、ＣＰＵ、バス、およびそれらに接続された諸回路からなる。このデータ管理手段２には、記憶手段３が接続されている。記憶手段３は、ＲＡＭやＲＯＭ等からなるメモリ３１とハードディスクからなる固定ディスク装置３２を含むものである。これらのデータ管理手段２および記憶手段３としては、汎用のコンピュータを使用することができる。
【００２６】
データ管理手段２には、文字や図形を表示するための表示手段４と、操作者がデータを入力するための入力手段５が接続されている。表示手段４としてはＣＲＴや液晶表示板等が使用でき、入力手段５としてはキーボードやポインティングデバイス（例えば、マウス）等が使用できる。
【００２７】
データ管理手段２には、さらに入出力装置６が接続されている。入出力装置６としては、表示手段４の表示内容を印刷するためのプリンタや、フレキシブルディスク、光記録ディスク、ＩＣ記録媒体等の交換可能記録媒体の読取書込装置、データバックアップ用のテープ記録媒体の読取書込装置等が含まれる。
【００２８】
固定ディスク装置３２には、建物、設備、備品などの施設の情報を蓄積し参照するための施設データベース３２１が記憶されている。データ管理手段２は、施設データベース３２１にデータを追加登録したり、データを修正したり、データを削除したり、データの検索・抽出・集計を行うデータベース管理機能を備えている。また、データの検索・抽出・集計は、施設データベース３２１を他のデータベースと連携させて行うこともできる。
【００２９】
なお、施設データベース３２１とデータベース管理機能は、データベースサーバー７として別のコンピュータに割り当てるようにしてもよい。その場合、図１に示すように、データ管理手段２とデータベースサーバー７とは、ＬＡＮ等の通信手段によって互いに接続される。そして、データ管理手段２には、データベースサーバー７に対してデータの要求を行うクライアント機能が備えられる。
【００３０】
施設データベース３２１は、１つ以上の物件（建物、支店に対応する）のデータを含み、各物件の各フロアについて、ＣＡＤ図面に基づくフロア平面図、フロア内の区画に関するデータ、フロア内の設備および備品等に関するデータを含むものである。この施設データベース３２１の内容は、種々の検索条件や抽出条件によって、操作者の必要とする情報を検索・抽出し表示手段４に表示することができる。また、検索・抽出結果を入出力装置６に出力して印刷したり、交換可能記録媒体に保存したりすることもできる。
【００３１】
各物件の各フロアには、例えば、執務室、応接室等やパーティッションで区切られた各スペース等が区分けされている。これらの部屋やスペースが区画としてＣＡＤ図面上に登録される。すわわち各フロアには１つ以上（通常は複数）の区画が存在する。これらの区画は会社組織等の各部門に所属するものとして利用されている。区画に関するデータは、図面ファイル３２３上に保存されており、施設データベース３２１に登録される。
【００３２】
図面ファイル３２３上の区画データは区画の形状を示す区画図形オブジェクトとして保存されている。この区画図形オブジェクトには区画形状の他に、属性情報として区画の面積や区画分類に関する情報が保存されている。そして、区画分類には区画を利用する部門の情報等が含まれている。
【００３３】
施設データベース３２１は、区画に関するデータを蓄積する区画データベースと、備品等に関するデータを蓄積する備品データベースとを含み、これらが互いに関連付けられてリレーショナル・データベースとして構成されている。区画データベースは、物件コード、物件名称、フロアコード、区画識別コード、区画分類コード、区画面積等のデータを含み、備品データベースは、備品識別コード、備品分類コード、備品名称、配置区画、コスト情報（購入価格、リース料等）、購入年月日等のデータを含む。
【００３４】
固定ディスク装置３２には、区画分類の内容を保持する区画分類テーブル３２２が記憶されている。区画分類は、集計処理に関係する集計分類と、区画の利用種別に関係する利用分類とを含んでいる。集計分類としては、アルファベット「Ａ−Ｚ」の１文字で表され、これらの文字に対応して最大２６種類に分類可能である。
【００３５】
利用分類は、利用大分類、利用中分類および利用小分類の３階層の階層構造を有し、木構造を有する分類となっている。利用大分類はアルファベット「Ａ−Ｚ」の１文字で表され２６種類に分類可能である。利用中分類は数字「１−９」の１文字で表され９種類に分類可能である。利用小分類は数字「０１−９９」の２文字（先頭の０は省略可能）で表され９９種類に分類可能である。区画分類テーブル３２２の内容に関しては後に詳しく説明する。
【００３６】
図面ファイル３２３は、物件の各フロアごとに１つのファイルが作成され、固定ディスク装置３２に記憶されている。施設データベース３２１の図面に関係する各データは、この図面ファイル３２３として記憶（保存）された情報から自動的に抽出されて施設データベース３２１に登録される。図面ファイル３２３から施設データベース３２１へのデータ登録作業に関しては後に詳しく説明する。
【００３７】
この図面ファイルは、対象となるフロアの平面図ＣＡＤデータに基づいて作成される。すなわち、固定ディスク装置３２には、施設データベース３２１の対象となるフロアの数だけの図面ファイル３２３が記憶（保存）されている。この図面ファイル３２３には、複数の図形データが仮想的な複数のレイヤ（層）に分けて記憶されている。データ管理手段２は図面ファイル３２３の各レイヤの図形を重ね合わせて表示手段４に表示することができ、また、各レイヤごと各図形ごとに表示・非表示を設定することができる。
【００３８】
また、図面ファイル３２３には、ＣＡＤデータのフロア平面図とは別のレイヤに区画形状を表す区画図形オブジェクトが配置されている。この区画図形オブジェクトは閉じた多角形や閉曲線として作成され、フロア平面図と重ね合わされて表示される。この区画図形オブジェクトには、区画分類に対応する表示色が設定される。フロアごとに作成された図面ファイル３２３の各ファイルには、それぞれ固有のファイル名が付与されている。このファイル名も施設データベース３２１に登録されるデータの一部となっている。
【００３９】
ファイル名としては、例えば「001-東京本社ビルP0.mcd」のようなものが付与される。このファイル名によって物件およびフロアの情報を保持している。最初の半角３桁の数字（４桁としてもよい）は物件コードを示し、区切り文字としての半角ハイフンの後の全角文字（全角９文字以内）が物件名称を示している。物件名称の後の半角２文字（この例では「P0」）はフロアを示している。フロアは半角数字２文字で表されるが、最初の１文字は半角の「BFRMP」のいずれかの文字も使用可能である。最後の「.mcd」は拡張子であり、ファイルの種類を表している。拡張子はこの文字列に固定されている。
【００４０】
図２および図３は、区画分類テーブル３２２の内容を示す図である。図２は、区画分類の中の集計処理に関する分類としての集計分類の内容を示す図である。集計分類コードは、アルファベット「Ａ−Ｚ」の１文字で表されている。それらのコードの内容は右欄の「集計分類内容」に示されている。なお、集計分類内容の組織名は集計用の組織名である。
【００４１】
なお、この集計分類は、いずれの分類も４種類の集計レイアウトの１つに属している。４種類の集計レイアウトは、「業務スペース」、「案分スペース」、「集計外スペース」、「その他」となっている。図２の例では、分類コードＡ，Ｂの分類は業務スペースに属し、分類コードＭ，Ｎの分類は案分スペースに属し、分類コードＺの分類はその他に属している。そして、集計分類が属する集計レイアウトに従って集計表等が作成される。
【００４２】
図３は、区画分類の中の実際の利用態様を表す利用分類の内容を示すものである。利用分類は、利用大分類、利用中分類および利用小分類の３階層の階層構造を有し、木構造を有する分類となっている。利用大分類の分類コードはアルファベット１文字で表され、その内容は実利用組織名や空間分類名を表している。利用中分類は数字１文字で表され、その内容は利用大分類の下位の実利用部署名や建築分類名を表している。利用小分類は数字２文字（先頭の０は省略可能）で表され、その内容は利用中分類の実利用部署名や建築分類名に属する部屋名、設備名を表している。
【００４３】
区画分類の全体の分類コードは、集計分類、利用大分類、利用中分類、利用小分類が連結されて、例えば「Ａ−Ａ１−０１」のように表される。最初の「Ａ」が集計分類コードであり、ハイフン記号の後の「Ａ１−０１」が利用分類を示す分類コードである。利用分類の先頭の「Ａ」は利用大分類、次の「１」は利用中分類、「０１」は利用小分類を表す分類コードである。
【００４４】
それぞれの区画分類コード（利用小分類まで含む全体の分類コード）に対して、区画を表示する際の表示色が設定されている。利用小分類の「表示色」の欄に設定されたカラーコード（例えば、「Ｃ００１」）が、区画分類に対応する表示色を示している。区画図形オブジェクトには、属性情報としてその区画が属する区画分類の分類コードが記憶されている。そして、区画図形オブジェクトは区画分類に対応する表示色で表示手段４に表示される。なお、ここでは利用小分類ごとに表示色を設定するようにしているが、利用中分類ごとに表示色を設定するようにしてもよく、または、利用大分類ごとに表示色を設定するようにしてもよい。
【００４５】
図４から図７は、図面ファイル３２３の中の１つのファイルの例を示す図である。図面ファイル３２３は、物件の各フロアごとに１つのファイルが作成される。図４は、建築物のＣＡＤ図面のフロア平面図を示すものである。ＣＡＤ図面には、建築物の壁、柱、ドア、部屋、廊下、階段等の構造部を表す部分と、事務机、椅子、テーブル、書棚等の備品、配置物を表す部分がある。構造部と配置物は、通常異なるレイヤに配置されており、これらのいずれか一方だけを表示したり、両方を重ね合わせて表示したりすることができる。図４では、構造部と配置物を重ね合わせて表示している。
【００４６】
図５は、建築物の構造部のみを表示したフロア平面図である。区画図形オブジェクトを作成するには、図４あるいは図５のような表示画面上で作成作業を行う。図６は、図５のような表示画面上で区画を示す区画図形オブジェクトを作成した図である。例えば、区画１１は区画分類の本社：営業部：資料室（Ａ−Ａ１−０３）に属する区画であり、区画１２，１３は本社：営業部：執務室（Ａ−Ａ１−０１）に属する区画であり、区画１４は本社：営業部：接客室（Ａ−Ａ１−０２）に属する区画である。なお、かっこ内は区画分類コードである。これらの区画図形オブジェクトを作成した後、区画分類等の属性情報を設定する。
【００４７】
図７は、各区画を表す区画図形オブジェクトの形状を示す図である。図７（ａ）は区画１１の区画図形オブジェクトの形状を示し、図７（ｂ）は区画１２の区画図形オブジェクトの形状を示し、図７（ｃ）は区画１３の区画図形オブジェクトの形状を示し、図７（ｄ）は区画１４の区画図形オブジェクトの形状を示す。操作者はＣＡＤソフトウェア（データ管理手段２に含まれている）を使用してこれらの区画図形オブジェクトを作成し、図６に示すようにフロア平面図の対応する区画位置に配置する。
【００４８】
次に、操作者はＣＡＤソフトウェアにより区画図形オブジェクトの属性情報を設定する。属性情報の設定は、表示画面上の区画分類設定ボタンをクリックし、続いて区画分類を設定する区画図形オブジェクトをクリックすることで容易に実行することができる。これにより、区画分類を選択するためのダイアログボックスが表示されるので、集計分類、利用大分類、利用中分類、利用小分類のそれぞれに関して該当する分類内容を選択するようになっている。適切な区画分類を選択してダイアログボックスの「ＯＫ」ボタンをクリックすると、選択した区画図形オブジェクトの属性情報としてその区画分類コードが設定される。
【００４９】
また、区画分類を設定すると同時に、その区画図形オブジェクトの面積が計算されて属性情報としてその面積値が設定される。この面積値は、区画図形の寸法情報とＣＡＤ図面における縮尺情報等に基づいて実際の面積が自動的に計算される。さらに、区画図形オブジェクトの表示色が区画分類コードに従って設定される。すなわち、区画分類テーブル３２２（図３参照）におけるその区画分類コードに設定された表示色が区画図形オブジェクトの表示色として設定される。
【００５０】
このようにそれぞれの区画が、区画分類に対応した表示色により表示されるので、その区画の所属や性質を瞬時に把握することができ、区画の種類を容易かつ確実に識別することができる。また、区画分類テーブル３２２に設定された既定のカラーコードは、データ管理手段２によって変更することができる。そして、変更後の表示色によって各区画の表示を行うことができる。したがって、種々の検索・抽出結果や集計結果等に応じて、各区画の表示色を変更することができる。
【００５１】
また、図面ファイル３２３の表示手段４への表示は、通常、図６のような区画表示に加えて図４のような備品、配置物も重ね合わせて表示される。備品等は、その形状を示す備品図形オブジェクトとして備品用のレイヤに配置される。備品図形オブジェクトには属性情報として、備品識別コード、備品分類コード、購入価格、購入年月日等の情報が保持されている。固定ディスク装置３２には、区画分類テーブル３２２と同様の構造の備品分類テーブルが記憶されている。備品分類テーブルには備品分類の内容と表示色のデータが記憶されている。備品図形オブジェクトはそれが属する備品分類に設定された表示色で表示される。
【００５２】
また、備品分類テーブルの既定の表示色を変更することにより、備品図形オブジェクトの表示色を変更することが可能である。これにより、例えば、備品の減価償却年数に応じて備品図形オブジェクトの表示色を変更することもできる。その他、備品の価格帯やメーカー等に応じて表示色を変更したりすることもできる。このように、区画や備品等の表示色をデータ管理手段２側（データベースサーバー７側）から変更することができるので、検索・抽出結果や集計結果等を誰にでも分かりやすく表示することができる。
【００５３】
図８は、図面ファイル３２３に保存されたデータを施設データベース３２１に登録する手順を示すフローチャートである。図面ファイル３２３は前述のように物件の各フロアごとに１つのファイルが作成され、図面ファイル３２３内にはフロア内の全区画に対応する区画図形オブジェクトが作成されている。区画図形オブジェクトは区画図形のためのレイヤに配置されている。それらの区画図形オブジェクトには、属性情報として区画識別コード、区画分類コード、面積等が記憶されている。また、図面ファイル３２３のファイル名には、前述のように物件コード、物件名称、フロアコードが含まれている。
【００５４】
まず、操作者は手順１０１において、図面ファイルを登録用フォルダ（ディレクトリ）にコピーする。コピーは表示画面上で登録しようとする図面ファイルを示すアイコンを登録用フォルダを示すアイコンにドラッグ・アンド・ドロップ（移動して放す操作）する等によって行う。なお、サーバー機能がデータベースサーバー７として別のコンピュータに割り当てられている場合は、登録しようとする図面ファイルをデータベースサーバー７の登録用フォルダにアップロードする。図面ファイルが登録用フォルダにコピー（またはアップロード）されると、データ管理手段２は自動的に施設データベース３２１への登録処理を開始する。以下の手順はデータ管理手段２によって自動的に実行される。
【００５５】
データ管理手段２は手順１０２において、図面ファイルのファイル名から物件コード、物件名称、フロアコードのデータを抽出する。次に、手順１０３で抽出したデータの整合性をチェックする。データの整合性チェックとは、物件コードと物件名称との対応関係の整合性チェック、各データの文字種、文字数等のチェックなどである。そして、手順１０４において、手順１０３の整合性チェックの結果、データにエラーが有ったか否かの判断がなされる。手順１０４でエラーが無ければ手順１０５に進み、エラーが有れば手順１１１に進む。
【００５６】
手順１０５では、図面ファイルに含まれる全ての区画図形オブジェクトについて、属性情報（区画識別コード、区画分類コード、面積等）を抽出する。次に、手順１０６で、抽出データの整合性をチェックする。データの整合性チェックとは、区画分類コードが登録されたものであるかどうかのチェックなどである。そして、手順１０７において、手順１０６の整合性チェックの結果、データにエラーが有ったか否かの判断がなされる。手順１０７でエラーが無ければ手順１０８に進み、エラーが有れば手順１１１に進む。
【００５７】
手順１０８では、図面ファイルに含まれる各区画図形オブジェクトから抽出したデータを施設データベース３２１に登録する。次の手順１０９では、区画に関する集計処理を行う。この集計処理は、フロア全体の区画数を計数したり、区画面積のフロア全体の合計値を求めたりするものである。
【００５８】
そして、次の手順１１０でこれらの集計結果を集計ファイルとして保存用のフォルダに保存する。また、登録処理の終了した図面ファイルを保存用のフォルダに移動して保存する。さらに、図面ファイルの画像をＨＴＭＬ（Hyper Text Markup Language）文書用ブラウザ（閲覧ソフトウェア）で表示可能な形式の画像（ＧＩＦ形式、ＪＰＥＧ形式等）に変換してその画像ファイルを保存用のフォルダに保存する。そして、以上の「ＤＢ登録」処理を終了する。
【００５９】
手順１０４または手順１０７の整合性チェックの結果、データにエラーが有った場合は手順１１１に進む。手順１１１では、エラーの内容等を操作者に表示して、施設データベース３２１への登録は行わず、以上の「ＤＢ登録」処理を終了する。また、登録用フォルダにコピーされた図面ファイルはエラー用のフォルダに移動される。
【００６０】
なお、ここでは図面ファイルにおける区画図形オブジェクトの情報を施設データベース３２１に登録する手順を示したが、これと同時に備品図形オブジェクトの情報もデータベースに登録される。備品等に関する登録手順も区画に関する登録手順と同様である。なお、区画や備品等に関する配置人員数や賃貸料等のコスト情報やその他の情報は、図面ファイルを介さずに通常のデータ登録手順によって施設データベース３２１に登録する。
【００６１】
以上のようにして、操作者は、登録しようとする図面ファイルを登録用フォルダにコピーするだけで、図面ファイルに含まれる全ての区画データおよび備品データが施設データベース３２１に登録される。各フロアの全ての区画が、属性情報として区画分類および面積を持つ区画図形オブジェクトとして作成されているので、データの入力ミスや修正ミスが生じにくく、また、フロアごと利用部門ごとの集計処理を行うことが容易となる。
【００６２】
また、施設データベース３２１の内容および集計ファイルの内容等は、ＬＡＮやインターネット等の通信手段に接続した別のコンピュータから、ＨＴＭＬ文書として参照することができる。また、フロアの画像もＨＴＭＬブラウザにより表示することができる。それに加え、データの検索、抽出、集計等の種々のデータ処理をＨＴＭＬブラウザ側から指示することができ、その結果もＨＴＭＬブラウザによって参照することができる。
【００６３】
このように、施設データベースへの登録作業が極めて容易であり、また、区画や備品のデータが全て図面ファイルの一部として集約して記憶されているため、これらのデータを入力・修正する作業も図面ファイルを編集するという作業に集約される。修正後の図面ファイルを施設データベースに再登録すれば、施設データベース内のデータも修正される。図面ファイルにおけるデータ修正は、区画や備品の実際のレイアウトを参照しながら属性データを修正することができるため、修正作業のミスが生じにくい。
【００６４】
なお、以上の実施の形態では、データ管理装置１がデータベースサーバーの機能とクライアント機能の両方を備えているものとして説明しているが、サーバー機能はデータベースサーバー７として別のコンピュータに割り当てるようにしてもよい。その場合には、通信手段等によって接続されたサーバーおよびクライアントからなるシステム全体が本発明のデータ管理装置に相当する。
【００６５】
また、図面ファイルのファイル名のフォーマットや、集計分類および利用分類を表すデータの文字種・文字数は、以上の実施の形態で例示した以外にも種々の形態が可能である。これらのデータフォーマットは、実際に適用する施設のデータ分布等に応じて最適な形態のフォーマットとすることが望ましい。
【産業上の利用可能性】
【００６６】
本発明により、施設データベースへの登録作業が容易で、データの入力・修正作業においても入力・修正ミスの生じにくいデータ管理装置を提供できる。
【図面の簡単な説明】
【００６７】
【図１】本発明のデータ管理装置の全体構成を示す図である。
【図２】区画分類の中の集計分類の内容を示す図である。
【図３】区画分類の中の利用分類の内容を示す図である。
【図４】建築物のＣＡＤ図面のフロア平面図を示すものである。
【図５】建築物の構造部のみを表示したフロア平面図である。
【図６】図５の表示画面上で区画図形オブジェクトを作成した図である。
【図７】各区画を表す区画図形オブジェクトの形状を示す図である。
【図８】図面ファイルに保存されたデータを施設データベースに登録する手順を示すフローチャートである。
【符号の説明】
【００６８】
１  データ管理装置
２  データ管理手段
３  記憶手段
４  表示手段
５  入力手段
６  入出力装置
７  データベースサーバー
３１  メモリ
３２  固定ディスク装置
３２１  施設データベース
３２２  区画分類テーブル
３２３  図面ファイル
【図１】
0004610183.tif 000002
【図２】
0004610183.tif 000003
【図３】
0004610183.tif 000004
【図４】
0004610183.tif 000005
【図５】
0004610183.tif 000006
【図６】
0004610183.tif 000007
【図７】
0004610183.tif 000008
【図８】
0004610183.tif 000009